【手続補正書】
【提出日】平成26年1月27日(2014.1.27)
【手続補正１】
【補正対象書類名】特許請求の範囲
【補正対象項目名】全文
【補正方法】変更
【補正の内容】
【特許請求の範囲】
【請求項１】
ネットワークにおける通信のために構成されたワイヤレス装置において実装される方法であって、前記方法が、
前記ワイヤレス装置が位置するエリアを判断することと、
各領域が前記エリアの一部分に対応する、複数の領域を識別することと、
前記複数の領域に関する情報を受信することであって、前記情報が、前記複数の領域のうちの１つまたは複数内での通信のために割り振られる１つまたは複数の通信チャネルを示す、受信することと、
前記１つまたは複数の通信チャネル上での通信について感知することと、
前記感知することに基づいて前記１つまたは複数の通信チャネルの利用可能性を判断することと
を備える、方法。
【請求項２】
前記情報が、前記複数の領域のうちの前記１つまたは複数における通信のために使用される波形をさらに備え、通信について感知することが、前記１つまたは複数の通信チャネル上での前記波形について感知することを備える、請求項１に記載の方法。
【請求項３】
前記情報が、信号強度と、１次ユーザジオロケーションと、１次ユーザに関連する周波数と、１次ユーザ通信のための特定の周波数帯域またはチャネルとのうちの１つまたは複数をさらに備え、感知することが前記情報に基づく、請求項１に記載の方法。
【請求項４】
前記エリアは、前記ワイヤレス装置が通信に関与するデバイスのセルラー識別子に基づいて判断される、請求項１に記載の方法。
【請求項５】
利用可能であると判断された前記１つまたは複数の通信チャネルのうちの少なくとも１つの上で通信することをさらに備える、請求項１に記載の方法。
【請求項６】
前記複数の領域の組み合わせが、少なくとも前記判断されたエリアに等しい、請求項１に記載の方法。
【請求項７】
前記複数の領域に関する前記情報についてデータベースを照会することをさらに備える、請求項１に記載の方法。
【請求項８】
ネットワークにおける通信のために構成されたワイヤレス装置であって、前記装置が、
前記ワイヤレス装置が位置するエリアを判断することと、
各領域が前記エリアの一部分に対応する、複数の領域を識別することと
を行うように構成されたプロセッサと、
前記複数の領域に関する情報を受信するように構成された受信機であって、前記情報が、前記複数の領域のうちの１つまたは複数内での通信のために割り振られる１つまたは複数の通信チャネルを示す、受信機と、
前記１つまたは複数の通信チャネル上での通信について感知するように構成された感知モジュールと
を備え、前記プロセッサが、前記感知することに基づいて前記１つまたは複数の通信チャネルの利用可能性を判断するようにさらに構成された、装置。
【請求項９】
前記情報が、前記複数の領域のうちの前記１つまたは複数における通信のために使用される波形をさらに備え、通信について感知することが、前記１つまたは複数の通信チャネル上での前記波形について感知することを備える、請求項８に記載の装置。
【請求項１０】
前記情報が、信号強度と、１次ユーザジオロケーションと、１次ユーザに関連する周波数と、１次ユーザ通信のための特定の周波数帯域またはチャネルとのうちの１つまたは複数をさらに備え、感知することが前記情報に基づく、請求項８に記載の装置。
【請求項１１】
前記エリアは、前記ワイヤレス装置が通信に関与するデバイスのセルラー識別子に基づいて判断される、請求項８に記載の装置。
【請求項１２】
利用可能であると判断された前記１つまたは複数の通信チャネルのうちの少なくとも１つの上で通信するように構成された送信機をさらに備える、請求項８に記載の装置。
【請求項１３】
前記複数の領域の組み合わせが、少なくとも前記判断されたエリアに等しい、請求項８に記載の装置。
【請求項１４】
前記複数の領域に関する前記情報についてデータベースにクエリを送信するように構成された送信機をさらに備える、請求項８に記載の装置。
【請求項１５】
ネットワークにおける通信のために構成されたワイヤレス装置であって、前記装置が、
前記ワイヤレス装置が位置するエリアを判断するための手段と、
各領域が前記エリアの一部分に対応する、複数の領域を識別するための手段と、
前記複数の領域に関する情報を受信するための手段であって、前記情報が、前記複数の領域のうちの１つまたは複数内での通信のために割り振られる１つまたは複数の通信チャネルを示す、受信するための手段と、
前記１つまたは複数の通信チャネル上での通信について感知するための手段と、
前記感知することに基づいて前記１つまたは複数の通信チャネルの利用可能性を判断するための手段と
を備える、装置。
【請求項１６】
前記情報が、前記複数の領域のうちの前記１つまたは複数における通信のために使用される波形をさらに備え、通信について感知することが、前記１つまたは複数の通信チャネル上での前記波形について感知することを備える、請求項１５に記載の装置。
【請求項１７】
前記情報が、信号強度と、１次ユーザジオロケーションと、１次ユーザに関連する周波数と、１次ユーザ通信のための特定の周波数帯域またはチャネルとのうちの１つまたは複数をさらに備え、感知することが前記情報に基づく、請求項１５に記載の装置。
【請求項１８】
前記エリアは、前記ワイヤレス装置が通信に関与するデバイスのセルラー識別子に基づいて判断される、請求項１５に記載の装置。
【請求項１９】
利用可能であると判断された前記１つまたは複数の通信チャネルのうちの少なくとも１つの上で通信するための手段をさらに備える、請求項１５に記載の装置。
【請求項２０】
前記複数の領域の組み合わせが、少なくとも前記判断されたエリアに等しい、請求項１５に記載の装置。
【請求項２１】
前記複数の領域に関する前記情報についてデータベースを照会するための手段をさらに備える、請求項１５に記載の装置。
【請求項２２】
ワイヤレス装置が位置するエリアを判断することと、
各領域が前記エリアの一部分に対応する、複数の領域を識別することと、
前記複数の領域に関する情報を受信することであって、前記情報が、前記複数の領域のうちの１つまたは複数内での通信のために割り振られる１つまたは複数の通信チャネルを示す、受信することと、
前記１つまたは複数の通信チャネル上での通信について感知することと、
前記感知することに基づいて前記１つまたは複数の通信チャネルの利用可能性を判断することと
をコンピュータに行わせるためのコードを記憶した非一時的コンピュータ可読媒体
を備える、コンピュータプログラム製品。
【請求項２３】
前記情報が、前記複数の領域のうちの前記１つまたは複数における通信のために使用される波形をさらに備え、通信について感知することが、前記１つまたは複数の通信チャネル上での前記波形について感知することを備える、請求項２２に記載のコンピュータプログラム製品。
【請求項２４】
前記情報が、信号強度と、１次ユーザジオロケーションと、１次ユーザに関連する周波数と、１次ユーザ通信のための特定の周波数帯域またはチャネルとのうちの１つまたは複数をさらに備え、感知することが前記情報に基づく、請求項２２に記載のコンピュータプログラム製品。
【請求項２５】
前記エリアは、前記ワイヤレス装置が通信に関与するデバイスのセルラー識別子に基づいて判断される、請求項２２に記載のコンピュータプログラム製品。
【請求項２６】
前記コードが、利用可能であると判断された前記１つまたは複数の通信チャネルのうちの少なくとも１つの上で通信することを前記コンピュータにさらに行わせる、請求項２２に記載のコンピュータプログラム製品。
【請求項２７】
前記複数の領域の組み合わせが、少なくとも前記判断されたエリアに等しい、請求項２２に記載のコンピュータプログラム製品。
【請求項２８】
前記コードが、前記複数領域に関する前記情報についてデータベースを照会することを前記コンピュータにさらに行わせる、請求項２２に記載のコンピュータプログラム製品。
【手続補正２】
【補正対象書類名】明細書
【補正対象項目名】００６５
【補正方法】変更
【補正の内容】
【００６５】
比較的小さい地理的エリアを有するネットワークでは、デバイスは、利用可能な通信チャネルを受信するためにネットワークアシスト型技法を採用し得る。デバイスは、利用可能な通信チャネルを判断するために、ネットワーク中の別のデバイスのジオロケーション能力および／または感知能力に依拠し得る。例えば、図１１を参照すると、第１のデバイスまたはアクセス端末１１０６Ａは、判断されたジオロケーションと、判断されたジオロケーションに関する判断された精度とを有するアクセスポイント１１０４Ａと通信し得る。アクセス端末１１０６Ａはジオロケーション能力または感知能力を有しないことがある。アクセス端末１１０６Ａは、アクセスポイント１１０４Ａへの信頼できる通信リンクを有し得る。アクセス端末１１０６Ａがアクセスポイント１１０４Ａとの信頼できる通信リンクを有するので、アクセス端末１１０６Ａとアクセスポイント１１０４Ａとの間の距離は制限されると推測され得る。すなわち、アクセス端末１１０６Ａおよび／またはアクセスポイント１１０４Ａの通信能力が既知となり得るので、アクセス端末１１０６Ａとアクセスポイント１１０４Ａとの間の距離は、アクセス端末１１０６Ａとアクセスポイント１１０４Ａとの間の信頼できる接続を可能にする距離内でなければならないと推測され得る。アクセスポイント１１０４Ａは、判断されたジオロケーションと、判断されたジオロケーションの判断された精度と、アクセスポイント１１０４Ａへの信頼できる接続を有するアクセス端末１１０６Ａまでの最大距離とに基づいて、複数のサンプル領域を判断し得る。利用可能な通信チャネルを判断すること、１次ユーザを感知すること、および／または判断されたジオロケーションを改良することに関して上記で説明した方法のいずれかが、アクセス端末１１０６Ａに代わってアクセスポイント１１０４Ａによって行われ得る。
【手続補正３】
【補正対象書類名】明細書
【補正対象項目名】００７０
【補正方法】変更
【補正の内容】
【００７０】
ホームフェムトノード１２１０に対応するアクセス端末１２２０Ａは、１次ユーザとして登録され得、外来アクセス端末１２２０Ｂは、通信チャネルの２次ユーザとして登録され得る。各フェムトノード１２１０は、上記で説明したデータベースの形態の、利用可能な通信チャネルと１次ユーザとに関する情報を含んでいるかまたは要求することがある。例えば、フェムトノード１２１０Ａは、複数の通信チャネルと、そのチャネルのうちの少なくとも１つについて１次ユーザとして登録された関連するホームアクセス端末１２２０Ａとに関する情報を含んでいることがある。外来アクセス端末１２２０Ｂは、１次ユーザに干渉しないようにおよび／または判断されたジオロケーションを改良するように、少なくとも１つの利用可能な通信チャネルを判断するために、フェムトノード１２１０と通信することに関して上記で説明した方法のうちのいずれかを行い得る。例えば、外来アクセス端末１２２０Ｂは、それのジオロケーションをより正確に判断するために、上記で図６〜図７の方法に関して説明したように、判断されたジオロケーションおよび感知方法を使用して、１つまたは複数のフェムトノード１２１０を照会し得る。外来アクセス端末１２２０Ｂはまた、少なくとも１つの利用可能な通信チャネルを判断するために、１つまたは複数のフェムトノード１２１０に情報を要求するために、図１０に関して説明したジオロケーション専用方法を使用し得る。さらに、グローバルデータベースは、システム中の各フェムトノード１２１０に対応するすべての情報を有するモバイル事業者ネットワーク１２５０中にも常駐し得る。グローバルデータベースは、マクロセルアクセスポイント１２６０とワイドエリアネットワーク１２４０との中にも常駐し得る。最後に、グローバルデータベースは、各フェムトノード１２１０および／または各アクセス端末１２２０がネットワーク接続またはインターネットを介してデータベースにアクセスし得るように、サードパーティによって維持されるサーバ中にも常駐し得る。アクセス端末１２２０は、上記で図５〜図１０に関して説明した方法のうちのいずれかを行うためにデータベースを照会するように構成され得る。
【手続補正４】
【補正対象書類名】明細書
【補正対象項目名】０１０８
【補正方法】変更
【補正の内容】
【０１０８】
上記の説明は、いかなる当業者も添付の特許請求の範囲内の実施形態を作成または使用できるように与えたものである。これらの態様への様々な修正は当業者には容易に明らかになり、本明細書で定義した一般原理は、本開示の範囲から逸脱することなく他の態様に適用され得る。従って、本開示は、本明細書で示した態様に限定されるものではなく、本明細書で開示した原理および新規の特徴に一致する最も広い範囲を与えられるべきである。
以下に、本願出願の当初の特許請求の範囲に記載された発明を付記する。
[Ｃ１]
ネットワークにおける通信のために構成されたワイヤレス装置において実装される方法であって、前記方法が、
前記ワイヤレス装置が位置するエリアを判断することと、
各領域が前記エリアの一部分に対応する、複数の領域を識別することと、
前記複数の領域に関する情報を受信することであって、前記情報が、前記複数の領域のうちの１つまたは複数内での通信のために割り振られる１つまたは複数の通信チャネルを示す、受信することと、
前記１つまたは複数の通信チャネル上での通信について感知することと、
前記感知することに基づいて前記１つまたは複数の通信チャネルの利用可能性を判断することと
を備える、方法。
[Ｃ２]
前記情報が、前記複数の領域のうちの前記１つまたは複数における通信のために使用される波形をさらに備え、通信について感知することが、前記１つまたは複数の通信チャネル上での前記波形について感知することを備える、Ｃ１に記載の方法。
[Ｃ３]
前記情報が、信号強度と、１次ユーザジオロケーションと、１次ユーザに関連する周波数と、１次ユーザ通信のための特定の周波数帯域またはチャネルとのうちの１つまたは複数をさらに備え、感知することが前記情報に基づく、Ｃ１に記載の方法。
[Ｃ４]
前記エリアは、前記ワイヤレス装置が通信に関与するデバイスのセルラー識別子に基づいて判断される、Ｃ１に記載の方法。
[Ｃ５]
利用可能であると判断された前記１つまたは複数の通信チャネルのうちの少なくとも１つの上で通信することをさらに備える、Ｃ１に記載の方法。
[Ｃ６]
前記複数の領域が、少なくとも前記判断されたエリアに等しく組み合わせられる、Ｃ１に記載の方法。
[Ｃ７]
前記複数の領域に関する前記情報についてデータベースを照会することをさらに備える、Ｃ１に記載の方法。
[Ｃ８]
ネットワークにおける通信のために構成されたワイヤレス装置であって、前記装置が、
前記ワイヤレス装置が位置するエリアを判断することと、
各領域が前記エリアの一部分に対応する、複数の領域を識別することと
を行うように構成されたプロセッサと、
前記複数の領域に関する情報を受信するように構成された受信機であって、前記情報が、前記複数の領域のうちの１つまたは複数内での通信のために割り振られる１つまたは複数の通信チャネルを示す、受信機と、
前記１つまたは複数の通信チャネル上での通信について感知するように構成された感知モジュールと
を備え、前記プロセッサが、前記感知することに基づいて前記１つまたは複数の通信チャネルの利用可能性を判断するようにさらに構成された、装置。
[Ｃ９]
前記情報が、前記複数の領域のうちの前記１つまたは複数における通信のために使用される波形をさらに備え、通信について感知することが、前記１つまたは複数の通信チャネル上での前記波形について感知することを備える、Ｃ８に記載の装置。
[Ｃ１０]
前記情報が、信号強度と、１次ユーザジオロケーションと、１次ユーザに関連する周波数と、１次ユーザ通信のための特定の周波数帯域またはチャネルとのうちの１つまたは複数をさらに備え、感知することが前記情報に基づく、Ｃ８に記載の装置。
[Ｃ１１]
前記エリアは、前記ワイヤレス装置が通信に関与するデバイスのセルラー識別子に基づいて判断される、Ｃ８に記載の装置。
[Ｃ１２]
利用可能であると判断された前記１つまたは複数の通信チャネルのうちの少なくとも１つの上で通信するように構成された送信機をさらに備える、Ｃ８に記載の装置。
[Ｃ１３]
前記複数の領域が、少なくとも前記判断されたエリアに等しく組み合わせられる、Ｃ８に記載の装置。
[Ｃ１４]
前記複数の領域に関する前記情報についてデータベースにクエリを送信するように構成された送信機をさらに備える、Ｃ８に記載の装置。
[Ｃ１５]
ネットワークにおける通信のために構成されたワイヤレス装置であって、前記装置が、
前記ワイヤレス装置が位置するエリアを判断するための手段と、
各領域が前記エリアの一部分に対応する、複数の領域を識別するための手段と、
前記複数の領域に関する情報を受信するための手段であって、前記情報が、前記複数の領域のうちの１つまたは複数内での通信のために割り振られる１つまたは複数の通信チャネルを示す、受信するための手段と、
前記１つまたは複数の通信チャネル上での通信について感知するための手段と、
前記感知することに基づいて前記１つまたは複数の通信チャネルの利用可能性を判断するための手段と
を備える、装置。
[Ｃ１６]
前記情報が、前記複数の領域のうちの前記１つまたは複数における通信のために使用される波形をさらに備え、通信について感知することが、前記１つまたは複数の通信チャネル上での前記波形について感知することを備える、Ｃ１５に記載の装置。
[Ｃ１７]
前記情報が、信号強度と、１次ユーザジオロケーションと、１次ユーザに関連する周波数と、１次ユーザ通信のための特定の周波数帯域またはチャネルとのうちの１つまたは複数をさらに備え、感知することが前記情報に基づく、Ｃ１５に記載の装置。
[Ｃ１８]
前記エリアは、前記ワイヤレス装置が通信に関与するデバイスのセルラー識別子に基づいて判断される、Ｃ１５に記載の装置。
[Ｃ１９]
利用可能であると判断された前記１つまたは複数の通信チャネルのうちの少なくとも１つの上で通信するための手段をさらに備える、Ｃ１５に記載の装置。
[Ｃ２０]
前記複数の領域が、少なくとも前記判断されたエリアに等しく組み合わせられる、Ｃ１５に記載の装置。
[Ｃ２１]
前記複数の領域に関する前記情報についてデータベースを照会するための手段をさらに備える、Ｃ１５に記載の装置。
[Ｃ２２]
ワイヤレス装置が位置するエリアを判断することと、
各領域が前記エリアの一部分に対応する、複数の領域を識別することと、
前記複数の領域に関する情報を受信することであって、前記情報が、前記複数の領域のうちの１つまたは複数内での通信のために割り振られる１つまたは複数の通信チャネルを示す、受信することと、
前記１つまたは複数の通信チャネル上での通信について感知することと、
前記感知することに基づいて前記１つまたは複数の通信チャネルの利用可能性を判断することと
をコンピュータに行わせるためのコードを記憶した非一時的コンピュータ可読媒体
を備える、コンピュータプログラム製品。
[Ｃ２３]
前記情報が、前記複数の領域のうちの前記１つまたは複数における通信のために使用される波形をさらに備え、通信について感知することが、前記１つまたは複数の通信チャネル上での前記波形について感知することを備える、Ｃ２２に記載のコンピュータプログラム製品。
[Ｃ２４]
前記情報が、信号強度と、１次ユーザジオロケーションと、１次ユーザに関連する周波数と、１次ユーザ通信のための特定の周波数帯域またはチャネルとのうちの１つまたは複数をさらに備え、感知することが前記情報に基づく、Ｃ２２に記載のコンピュータプログラム製品。
[Ｃ２５]
前記エリアは、前記ワイヤレス装置が通信に関与するデバイスのセルラー識別子に基づいて判断される、Ｃ２２に記載のコンピュータプログラム製品。
[Ｃ２６]
前記コードが、利用可能であると判断された前記１つまたは複数の通信チャネルのうちの少なくとも１つの上で通信することを前記コンピュータにさらに行わせる、Ｃ２２に記載のコンピュータプログラム製品。
[Ｃ２７]
前記複数の領域が、少なくとも前記判断されたエリアに等しく組み合わせられる、Ｃ２２に記載のコンピュータプログラム製品。
[Ｃ２８]
前記コードが、前記複数領域に関する前記情報についてデータベースを照会することを前記コンピュータにさらに行わせる、Ｃ２２に記載のコンピュータプログラム製品。
【手続補正５】
【補正対象書類名】図面
【補正対象項目名】図１Ａ
【補正方法】変更
【補正の内容】
【図１Ａ】
2014502462.tif 000001